(57)【要約】【課題】シンプルでクリヤーな質感を有し、メンテナンスフリー効果に優れたシステムキッチン等、住宅設備機器の扉用表装材であり、且つ、リビングルーム内に設置した場合にも、周りの壁紙、カーテン等と、違和感なく調和し得る、やすらぎ感を有した扉用表装材を提供する。【解決手段】透明樹脂板の裏面に、合成繊維７０％以上で構成された、且つ、光沢のある意匠糸、又はメタッリク系、ホログラム系等、個性的な素材をその一部、又は全体に使用した織編物を積層し、織編物の表面に隠蔽層を設けて一体化した扉用表装材、好ましくは、透明樹脂板の表面が艶消し仕上げである扉用表装材である。【選択図】図１
2007168409.tif 000002
【特許請求の範囲】
【請求項１】
合成繊維の含有率が７０％以上で構成された織編物であって、その一部、又は全体に光沢を有する意匠糸を使用した織編物の表面に、厚さ０．５ｍｍ．〜３．０ｍｍ．の透明樹脂板を積層し、一体化した複合版を表装に使用したことを特徴とする扉用表装材。
【請求項２】
請求項１記載の織編物の一部、又は全体に、ポリエステル蒸着フィルムの、スリット糸、並びにホログラム調の色調を有する原糸を使用したことを特徴とする請求項１記載の扉用表装材。
【請求項３】
請求項１記載の複合版の裏面に、着色隠蔽層を設けたことを特徴とする請求項１、２記載の扉用表装材。
【請求項４】
請求項１記載の透明樹脂板が、着色透明樹脂版であることを特徴とする請求項１，２，３記載の扉用表装材。
【請求項５】
請求項１記載の透明樹脂版の表面が、艶消し仕上げであることを特徴とする請求項１ないし４のいずれかに記載の扉用表装材。
【発明の詳細な説明】
【技術分野】
【０００１】  本発明は、扉用表装材に関し、詳しくはシステムキッチン、洗面化粧台、クローゼット等、主として住宅内装用に使用される各種扉の表装材に関するものである。
【背景技術】
【０００２】  現在、マンション、戸建住宅等、一般住宅にはクローゼットに代表される各種収納用キャビネットの扉、引き出し、開き戸、等の表面部材並びにシステムキッチン、洗面化粧台のキャビネットの扉等、多様な住宅設備に扉が使用されている。
従来これらの住宅設備用扉の構造は、基材に木質系のパーチクルボード、又は、中質繊維板（一般呼称  Ｍ．Ｄ．Ｆ）を使用し、その表面にメラミン樹脂系の化粧シート、又はポリエステル樹脂フィルムの化粧シートを表装材として張り合わせたものが一般的である。
一方近年、生活環境の高度化に伴い、シンプルでクリヤー、且つメンテナンスフリーな材質の表装材ニーズが高まって来た。特にシステムキッチンの扉にこの傾向が強く、中、高級品市場ではアクリル系樹脂版を扉の表装材として使用するケースが増えつつある。
又、上記のメラミン樹脂系、ポリエステル樹脂フィルム系の化粧シートを使用した扉に於いても表層をＵＶコート（紫外線硬化樹脂によるコーティング加工）し艶出しとメンテナンスフリー効果を高めた製品が増加する傾向にある。
以上の如く近年、システムキッチン、洗面化粧台等の住宅内設備の表装は、シンプル、クリヤー、クリスタルな方向に傾きつつある。【０００３】  しかしながら、このようにクリヤーでクリスタルな質感の樹脂材を表装材に使用して作成された住宅内設備は、モダンで且つメンテナンスフリー効果に優れていても、人間が長期間住み続ける住宅内設備としては、冷たくて暖かみが無く、やすらぎ感に欠けるという課題がある。【０００４】  又、近年ガスに変わりＩ．Ｈ系の電器調理器の普及に伴い、システムキッチンがリビングルーム内に設置されるケース（いわゆる対面型キッチン）が増加する傾向にあり、システムキッチンがリビング家具の一部として位置ずけられるようになった。
リビングルームの中には、カーテン、壁紙、ソファー等の応接セット類、カーペット等、繊維製の製品が多く使用されており、これらの内装インテリヤとの調和、即ちトータルコーディネートが求められるが、システムキッチンメーカーは、専業が多く、システムキッチン単体で設計デザインされる為、リビングルーム内に設置された場合、周りのインテリヤ製品と調和せず、違和感が生じるケースが多くなっている。時に、先述の如くクリヤーでクリスタルな材質の表装材を多用したシステムキッチンはトータルコーディネイトの観点からは不適合という課題がある。
【特許文献１】特開２００２−２９００８号公報
【発明の開示】
【発明が解決しょうとする課題】
【０００５】  本発明は、近年ニーズの高いクリヤーでメンテナンスフリー効果を有し、且つリビングルーム内に設置される各種扉の表装部材、特にシステムキッチン用扉の表装部材として、カーテン等、周りの各種インテリヤ製品と違和感のない、やすらぎのある扉用表装材を提供することを目的としたものである。
【課題を解決するための手段】
【０００６】  本発明者は前記目的を達成するため、鋭意研究を行った結果、次のような手段で問題点を解決することを可能とした。
【０００７】  第一には、クリヤーで深みのある質感を創り出し、且つメンテナンスフリー効果を出す為、扉の最表層には、透明樹脂板を使用する事とした。透明樹脂板の透明でクリスタルな質感は、Ｉ．Ｔ世代である現代人の感性にマッチしたものであるが、一方で冷たく無機質な感覚を与えるというマイナス点もある。
透明樹脂板の特性を活かしながら、マイナス点をカバーする為、本発明者は、第二の手段として、透明樹脂板の裏面に織物等の繊維製織編物を積層することに着目した。
織編物を透明樹脂板の裏面に積層し複合一体化することで透明樹脂板を透して織編物の質感が表現される為、シックでやすらぎ感のある表装材が得られた。この結果、リビングルーム内のカーテン、壁紙等とも良く調和した扉材の作成が可能となった。
【０００８】  ここで使用する透明樹脂板の厚さは、０．５ｍｍ．〜３．０ｍｍ．、好ましくは、１．０ｍｍ．〜３．０ｍｍ．が望ましい。透明樹脂板の厚さが、０．５ｍｍ．以下であると深みのある質感が得られない事と、製品の面精度を鏡面に仕上げる事が困難である。又、３．０ｍｍ．以上になると、重くなる事と、コスト的にも割高となり適正でない。
【０００９】  上記透明板としては、アクリル（メチルメタアクリレート）樹脂板を使用すると、より効果的である。アクリル樹脂板は高透明で表面硬度（エンピツ硬度２Ｈ）も高く、耐汚染性にも優れている。又、セルキャスト板を使用すると、表面硬度、表面精度がより高くなると共に、表面の艶消し仕上げ等もし易い利点がある。一方、コスト面等を考慮すると、ポリエステル（ポリエチレンテレフタレート）樹脂板が適正である。尚、他に使用可能な透明樹脂板としては、ポリカーボネート樹脂板、Ｍ．Ｓ（メチルメタアクリレート．ポリスチレン共重合）樹脂板等がある。
【００１０】  次に積層する織編物は少なくとも合成繊維を７０％以上含む原糸で構成されたものを使用する必要がある。好ましくは、ポリエステル繊維を６０％以上含有するものが吸水性が少なくより適正である。綿、毛等の天然繊維で構成された織編物を使用すると、吸水性が高いことから、システムキッチンや、洗面化粧台等の扉材としては耐水性に点で問題があり好ましくない。
【００１１】  又、織編物の質感をより活かす為には、積層する織編物自体に個性があるものが好ましい。特にポリエステルの蒸着フィルムを細かくスリットして作成したスリット糸を使用した織編物、並びにモロフォテックス（帝人ファイバー社製）等の、ホログラム調の織編物を積層して作成された複合板は、厚みのある透明樹脂板を透して下層の織編物が見える為、見る角度により、異なった質感が表現される。
特に、表面が艶消し仕上げの着色透明樹脂板と積層した製品は、織編物の光沢が押さえられ、今までにないシックで深みのある高級な質感の扉用表装材を得る事が出来る。
【００１２】  さらには、複合した時の織編物の質感をより活かす為には、隠蔽性のある織編物よりは、抜けの多い織編物を使用し、積層した織編物の裏面に、カラー塗装又は、着色プラスチックフィルムを隠蔽層として積層する処方が望ましい。織編物の素材感が、より明確に表現されると同時に同一の織編物を使用して、バックの隠蔽層のカラーを変えることにより、複合板のカラーを自在に展開することも可能となる。
この結果、トータルインテリヤとしてのコーディネートも容易に行うことが出来る効果も得られる。この時、使用する織編物には先に使用したポリエステル蒸着フィルムのスリット糸、又はポログラム調の色調を有する原糸等を、一部分に使用したものが、より効果的である。
【００１３】  一方、表層に使用する透明樹脂板に、着色透明板を使用することにより、下層の織編物のカラーと、最下層の着色隠蔽層のカラーとが複合化し、より質感の高い複合板が得られることが判明した。
【００１４】  又、上記表層に使用する透明樹脂板の表面を、艶消し仕上げ板にすることにより、複合板の質感がよりソフトで、暖かみのあるものとなり、織編物の質感がより活かされる効果が得られることも判明した。
【発明の効果】
【００１５】  本発明による上述の各種処方により作成された複合板を、扉の表装材として使用したシステムキッチンは、リビングルーム内に設置されても、周りのカーテン、壁紙等の、各種インテリヤ部材と違和感の無い、調和のとれたものとなり、やすらぎ感のある製品が得られた。又、最表装に透明樹脂板を使用していることから、クリヤーで、深みのある質感が得られると共に、耐汚染性、耐油性等にも優れ、メンテナスフリー効果も高いシステムキッチンを提供することが可能となった。
【実施例】
【００１６】  以下、本発明を実施例により詳細に説明する。
【実施例１】
【００１７】  始めに次の処方でホログラム調織編物（図１−１）を作成する。シルバーブルー色のホログラム蒸着ポリエステルフィルムのスリット糸（麗光社製）を緯糸に使用し、経糸にフィラメントナイロン糸を使用して、巾１１００ｍｍ．長さ５０ｍ．目付７０ｇ／ｍ２の淡いシルバーブルー色のホログラム調織編物を作成する。【００１８】  次にあらかじめ用意した、厚さ０．０８ｍｍ．巾１０７０ｍｍ．長さ５０ｍ．のオレフィン樹脂製、グラビヤ印刷用のグレー系隠蔽着色フィルム（理研ビニール社製）（図１−２）の上に二液のウレタン系接着剤（コニシ社製）（図１−３）を塗工して、ホログラム調織編物を積層し、厚さ約０．１５ｍｍ巾１０５０ｍ．長さ４５ｍの、織編物ラミネートフィルム（図１−４）を作成し、所定の長さ（２０５０ｍｍ．）に裁断する。【００１９】  次に透明ガラス色のファインマットセルキャストアクリル板（図１−５）（カナセ工業社製、厚さ３ｍｍ．巾１０２０ｍｍ．長さ２０３０ｍｍ．）を用意し、上記アクリル板（図１−５）のクリヤー面に透明両面粘着シート（積水化学社製、厚さ０．０２ｍｍ．巾１０５０ｍｍ．長さ２１００ｍｍ）（図１−６）を、片面の離型紙を剥がしながら圧着する。【００２０】  次に先に作成した織編物ラミネートフィルム（図１−４）の織編物面を上記アクリル板側にして、上記アクリル板の粘着面に、粘着シートの一方の離型紙を剥がしながら圧縮ラミナートし、織編物と上記アクリル板を複合一体化した扉用表装材（図１−７）を作成する。【００２１】  こうして作成した扉用表装材（図１−７）を表側にし、中層に厚さ１２ｍｍ．のパーチクルボード（セイホク社製）（図２−８）を用いて、湿気硬化型接着剤（コニシ社製）（図２−９）で接合し、下層に厚さ３ｍｍ．の着色ＡＢＳ樹脂板（アクリルニトリル．ブタジエン．スチレン樹脂）（筒中プラスチック工業社製）（図２−１０）を積層して、同種の接着剤（図２−９）で接合し、パーチクルボードを中層としたサンドイッチ構造のサイズ（厚さ１８．４ｍｍ．、巾１０００ｍｍ．、長さ２０００ｍｍ．）の扉用パネル（図２−１１）を作成する。【００２２】  次に扉用パネル（図２−１１）をシステムキッチン用標準扉サイズ、巾４５０ｍｍ．長さ６９０ｍｍ．に切断し、厚さ２ｍｍ．、巾１８ｍｍ．のアクリル樹脂製のエッジ材（パネフリ工業社製）を使用して縁取り加工を行い、表面のアクリル板の端面を２Ｃの面取り加工を行って、システムキッチン用の扉を作成した。【００２３】  以上の処方により作成された扉は、透明ガラス色のファインマットセルキャストアクリル板を透して、淡いシルバーブルー色のホログラム調織編物地が見え、且つ、上記アクリル板の表面がマット仕上げとなっている為、上記アクリル板の冷たさが感じられず、しっとりとした織編物の質感が表現されるものとなった。又、上記アクリル板のガラス色と、淡いシルバーブルーのホログラム織編物の色合いが複合されて、深みのある独特の高級な質感を醸し出すものとなった。
さらには、ポログラム織編物を使用した結果、見る角度によって、微妙に色が異なって見える効果も得られ、今までにないモダンで且つ、やすらぎ感のあるシステムキッチン用扉を提供する事が出来た。
又、セルキャストアクリル板を表装に使用したことから、汚れにくく、且つ、汚れが落ち易いメンテナンスフリー性に優れた扉が得られた。さらには、一般的に使用されている押し出しアクリル板に対して、表面の面精度が高く、表面硬度も３Ｈあり、品質的にも優れた製品を提供することが可能となった。又、本処方による扉を洗面化粧台の扉として使用したところ、ガラスタイルの様な色調を有しながら、しっとりとした質感の高級感ある洗面化粧台が得られた。
実施例２【００２４】  始めに、ポリエステル繊維１００％で構成され、緯糸に光沢のあるスラブヤーン調の意匠糸を織り込んで作成されたシャンタン織物（巾１１００ｍｍ．、長さ２１００ｍｍ．、目付け１０５ｇ／ｍ２）（図３−１２）を用意する。【００２５】  次に、透明ポリエステル樹脂板（図３−１３）（筒中プラスチック工業社製）（厚さ３ｍｍ、巾１０２０ｍｍ、長さ２０３０ｍｍ）を用意し、この透明ポリエステル樹脂板に、透明両面粘着シート（積水化学社製、厚さ０．０２ｍｍ、巾１０５０ｍｍ、長さ２１００ｍｍ）（図３−６）を片面の離型紙を剥がしながら圧着する。【００２６】  次に、上記透明ポリエステル樹脂板の粘着面に、粘着シートの一方の離型紙を剥がしながら、先に用意したシャンタン織物（図３−１２）の表面を粘着層側に当てて、圧着ラミネートし、織編物と透明ポリエステル樹脂板を、複合一体化した扉用表装材（図３−１４）を作成する。【００２７】  こうして作成した扉用表装材（図３−１４）を透明ポリエステル樹脂板を表側にして、実施例１、と同様の処方でサイズ、厚さ１８．５ｍｍ、巾４５０ｍｍ、長さ６９０ｍｍのシステムキッチン用扉を作成した。【００２８】  以上の処方により作成された扉は、最表面に透明ポリエステル樹脂板を使用した事から、透明ポリエステル樹脂板の裏面に積層された織編物の質感が、そのまま表現されたものとなった。
使用した織編物が、隠蔽性のある比較的厚地のシャンタン織物で、ドレープカーテン地として完成された製品であることから、織物の質感をそのまま活かして表現したことで、リビングルーム内に設置されたシステムキッチンの扉として、トータルコーディネートし易いものとなった。
又、本処方による扉を、クローゼットの扉として取り付けたところ、シャンタン織物の質感が、厚さ３ｍｍの透明ポリエステル樹脂板を透して、大きな面として表現され、周りの壁紙、カーテン等と、見事にマッチし、拡がりのある空間を創出するものとなった。
【発明の効果】
【００２９】  以上本発明によれば、本発明の扉用表装材を使用して作成された扉を装着したシステムキッチン、洗面化粧台は、マンション、一般戸建住宅のリビングルーム内に設置された場合、周りのカーテン、壁紙等の、インテリヤ製品と遊離することなく、トータルコーディネートされ、やすらぎ感のある、落ち着いた空間を創り出すものとなった。
又、透明化粧板を、表面材として使用していることから、モダンでクリヤーな感覚があり、品質面でもメンテナンスフリー特性を有する等、現代住宅に適合した住設機器の提供を可能とするものとなった。
【産業上の利用可能性】
【００３０】  さらには、本発明による扉用表装材は、システムキッチンや、洗面化粧台等の、水周り用住宅設備機器のみならず、玄関収納、並びにクローゼットの扉、ドアーの表装材等、住宅内設備の各種表装部材としての使用が可能である。織編物と透明樹脂板の質感を併せ持つ、新感覚の住宅内装用部材として、本発明の産業上の利用価値は高いものである。
【図面の簡単な説明】
【００３１】
【図１】ホログラム調織編物と、ファインマットセルキャストアクリル板を積層一体化した本発明の扉用表装材の断面図。
【図２】本発明の扉用表装材を、表面材として作成した扉用パネルの断面図。
【図３】本発明の実施例２による扉用表装材の断面図。
【符号の説明】
【００３２】１    ホログラム調織編物
２    隠蔽着色フィルム
３    ウレタン接着剤層
４    織編物ラミネートフィルム
５    ファインマットセルキャストアクリル板
６    透明両面粘着シート層
７    実施例１の扉用表装材
８    パーチクルボード
９    湿気硬化型接着剤
１０  着色ＡＢＳ板
１１  扉用パネル
１２  シャンタン織編物
１３  透明ポリエステル樹脂板
１４  実施例２の扉用表装材
【図１】
2007168409.tif 000003
【図２】
2007168409.tif 000004
【図３】
2007168409.tif 000005